(57)【要約】【課題】広告主がユーザに対して訴求したい広告を高い広告効果が得られるように配信することができるイベント情報配信装置を提供する。【解決手段】各イベント情報が、広告に該当する否か及び人気イベント情報に該当するか否かを記憶する記憶部７と、ユーザ端末３から送信される特定のイベント情報に興味がある旨の信号を規定回数以上受信すると、前記特定のイベント情報が人気イベント情報に該当すると判断し、記憶部７の記憶内容を更新させ、ユーザ端末３から送信されるイベント情報配信要求信号を受信すると、前記イベント情報配信要求信号を送信したユーザ端末３の表示部に、広告と人気イベント情報とを交互に表示させるためのイベント情報表示用データを作成し、前記イベント情報配信要求信号を送信したユーザ端末３に送信する制御部６とを備えるイベント情報配信装置。【選択図】図１
2009058854.tif 000002
【特許請求の範囲】
【請求項１】
各イベント情報が、イベント情報登録者がユーザに対して訴求したい広告に該当する否か及び多数のユーザが興味を持っているイベント情報に該当するか否かを記憶する記憶部と、
ユーザ端末から送信される特定のイベント情報に興味がある旨の信号を規定回数以上受信すると、前記特定のイベント情報が多数のユーザが興味を持っているイベント情報に該当すると判断し、前記記憶部の記憶内容を更新させ、ユーザ端末から送信されるイベント情報配信要求信号を受信すると、前記イベント情報配信要求信号を送信したユーザ端末の表示部に、イベント情報登録者がユーザに対して訴求したい広告に該当するイベント情報と多数のユーザが興味を持っているイベント情報とを交互に表示させるためのイベント情報表示用データを前記記憶部の記憶内容を用いて作成し、前記イベント情報配信要求信号を送信したユーザ端末に前記イベント情報表示用データを送信する制御部とを備えることを特徴とするイベント情報配信装置。
【請求項２】
前記記憶部が、各イベント情報が登録から所定の期間内であるイベント情報に該当するか否かも記憶し、
前記イベント情報表示用データが、前記イベント情報配信要求信号を送信したユーザ端末の表示部に、イベント情報登録者がユーザに対して訴求したい広告に該当するイベント情報と多数のユーザが興味を持っているイベント情報とを交互に表示させ、さらに、登録から所定の期間内であるイベント情報を表示させるためのデータであり、
前記特定のイベント情報の対象が、登録から所定の期間内であるイベント情報に限定されている請求項１に記載のイベント情報配信装置。
【請求項３】
前記制御部は、ユーザ端末から送信されるイベント情報配信要求信号を受信すると、前記イベント情報配信要求信号を送信したユーザ端末の表示部に、イベント情報登録者がユーザに対して訴求したい広告に該当するイベント情報と多数のユーザが興味を持っているイベント情報とを１つ毎に交互に表示させるためのイベント情報表示用データを前記記憶部の記憶内容を用いて作成する請求項１または請求項２に記載のイベント情報配信装置。
【請求項４】
前記制御部は、イベント情報登録者がユーザに対して訴求したい広告に該当し、且つ、多数のユーザが興味を持っているイベント情報に該当するイベント情報を、多数のユーザが興味を持っているイベント情報に該当するイベント情報として取り扱い、イベント情報登録者がユーザに対して訴求したい広告として取り扱わないようにする請求項１〜３のいずれか１項に記載のイベント情報配信装置。
【発明の詳細な説明】
【技術分野】
【０００１】
本発明は、ユーザ端末からの配信要求に応じてイベント情報を配信するイベント情報配信装置に関する。
【背景技術】
【０００２】
ユーザ端末からの配信要求に応じてイベント情報を配信するイベント情報配信装置は、イベント情報の内容を広告とすることで広告配信装置として利用することができる。しかしながら、広告主がユーザに対して訴求したい広告ばかりを配信していると、ユーザの興味を引くことができず、ユーザ端末からの配信要求が減り、広告効果が低下してしまう。
【０００３】
このため、広告効果を高めるための広告配信技術が種々提案されている。例えば、特許文献１では、各ユーザの趣味、嗜好などのユーザが興味を持っている対象に応じた広告を配信する広告配信方法が提案されている。また、特許文献２では、ユーザが欲しい情報（ユーザの移動履歴情報）とユーザの属性に応じた広告とを組み合わせて配信する広告配信方法が提案されている。
【０００４】
【特許文献１】特開２００３−１６８０４４号公報
【特許文献２】特開２００６−２６８４９０号公報
【発明の開示】
【発明が解決しようとする課題】
【０００５】
しかしながら、特許文献１や特許文献２で提案されている広告配信技術では、ユーザが興味を持っている対象やユーザの属性に応じた広告のみが配信されるため、結果的にユーザによって広告配信内容が制約されることになり、広告主がユーザに対して訴求したい広告の配信が行われるとは限らないという問題があった。
【０００６】
本発明は、上記の状況に鑑み、広告主がユーザに対して訴求したい広告を高い広告効果が得られるように配信することができるイベント情報配信装置を提供することを目的とする。
【課題を解決するための手段】
【０００７】
上記目的を達成するために本発明に係るイベント情報配信装置は、各イベント情報が、イベント情報登録者がユーザに対して訴求したい広告に該当する否か及び多数のユーザが興味を持っているイベント情報に該当するか否かを記憶する記憶部と、ユーザ端末から送信される特定のイベント情報に興味がある旨の信号を規定回数以上受信すると、前記特定のイベント情報が多数のユーザが興味を持っているイベント情報に該当すると判断し、前記記憶部の記憶内容を更新させ、ユーザ端末から送信されるイベント情報配信要求信号を受信すると、前記イベント情報配信要求信号を送信したユーザ端末の表示部に、イベント情報登録者がユーザに対して訴求したい広告に該当するイベント情報と多数のユーザが興味を持っているイベント情報とを交互に表示させるためのイベント情報表示用データを前記記憶部の記憶内容を用いて作成し、前記イベント情報配信要求信号を送信したユーザ端末に前記イベント情報表示用データを送信する制御部とを備える構成とする。
【０００８】
このような構成によると、イベント情報配信要求信号を送信したユーザ端末の表示部に、イベント情報登録者がユーザに対して訴求したい広告に該当するイベント情報と多数のユーザが興味を持っているイベント情報とが交互に表示される。したがって、多数のユーザが興味を持っているイベント情報の表示によりユーザの興味を引くことができ、ユーザに継続的に利用されるイベント情報配信となるとともに、イベント情報登録者（広告主）がユーザに対して訴求したい広告に該当するイベント情報が、多数のユーザが興味を持っているイベント情報と交互に表示されて自然とユーザの目にとまるため、広告主がユーザに対して訴求したい広告を高い広告効果が得られるように配信するイベント情報配信となる。
【０００９】
また、ユーザが興味を持つか否かを判断する対象のイベント情報数を絞ることで当該ユーザの判断を容易にする観点から、上記構成のイベント情報配信装置において、前記記憶部が、各イベント情報が登録から所定の期間内であるイベント情報に該当するか否かも記憶し、前記イベント情報表示用データが、前記イベント情報配信要求信号を送信したユーザ端末の表示部に、イベント情報登録者がユーザに対して訴求したい広告に該当するイベント情報と多数のユーザが興味を持っているイベント情報とを交互に表示させ、さらに、登録から所定の期間内であるイベント情報を表示させるためのデータであり、前記特定のイベント情報の対象が、登録から所定の期間内であるイベント情報に限定されていることが望ましい。
【００１０】
また、イベント情報登録者がユーザに対して訴求したい広告に該当するイベント情報をユーザの目にとまり易くする観点から、上記各構成のイベント情報配信装置において、前記制御部は、ユーザ端末から送信されるイベント情報配信要求信号を受信すると、前記イベント情報配信要求信号を送信したユーザ端末の表示部に、イベント情報登録者がユーザに対して訴求したい広告に該当するイベント情報と多数のユーザが興味を持っているイベント情報とを１つ毎に交互に表示させるためのイベント情報表示用データを前記記憶部の記憶内容を用いて作成することが望ましい。
【００１１】
また、イベント情報登録者がユーザに対して訴求したい広告に該当し、且つ、多数のユーザが興味を持っているイベント情報に該当するイベント情報が重複表示されることを防止する観点から、上記各構成のイベント情報配信装置において、前記制御部は、イベント情報登録者がユーザに対して訴求したい広告に該当し、且つ、多数のユーザが興味を持っているイベント情報に該当するイベント情報を、多数のユーザが興味を持っているイベント情報に該当するイベント情報として取り扱い、イベント情報登録者がユーザに対して訴求したい広告として取り扱わないようにすることが望ましい。
【発明の効果】
【００１２】
本発明に係るイベント情報配信装置によると、広告主がユーザに対して訴求したい広告を高い広告効果が得られるように配信することができる。
【発明を実施するための最良の形態】
【００１３】
本発明の実施形態について図面を参照して以下に説明する。本発明に係るイベント情報配信装置を含むイベント情報配信システムの概略構成例を図１に示す。
【００１４】
図１に示すイベント情報配信システムは、複数のイベント情報登録者端末１と、イベント情報配信装置２と、複数のユーザ端末３とによって構成される。複数のイベント情報登録者端末１、イベント情報配信装置２、及び複数のユーザ端末３はそれぞれインターネット４に接続されている。イベント情報登録者端末１は、例えばパーソナルコンピュータにイベント情報登録者端末用プログラムをインストールすることによって実現することができる。また、ユーザ端末３は、例えばパーソナルコンピュータにユーザ端末用プログラムをインストールすることによって実現することができる。
【００１５】
イベント情報配信装置２は、インターネットにアクセスするためのネットワークインタフェース５と、現在日時の計時、イベント情報テーブルデータの作成及び更新、並びにイベント情報の配信を行う制御部６と、動作プログラム及びイベント情報テーブルデータを記憶する記憶部７とを備えている。
【００１６】
まず、イベント情報が登録されるときのイベント情報配信システムの動作について説明する。
【００１７】
イベント情報登録者端末１は、イベント情報登録者の入力操作に応じたイベント情報を作成し、その作成したイベント情報をイベント情報配信装置２に送信する。上記イベント情報は、イベント情報のタイトルと、イベント情報の詳細内容と、イベント情報登録者がユーザに対して訴求したい広告に該当するか否かを示す広告当否情報と、イベント情報の配信期間を示す配信期間情報とによって構成されている。
【００１８】
イベント情報配信装置２の制御部６は、イベント情報登録者端末１から送信されたイベント情報を受信し、その受信したイベント情報に基づいてイベント情報テーブルデータを作成（２件目以降の受信の場合は更新）する。イベント情報テーブルデータ中の登録日時は、制御部６がイベント情報を受信した時点の日時である。なお、イベント情報配信装置２の制御部６は、登録日時から配信期間が経過したイベント情報をイベント情報テーブルデータから削除する。イベント情報配信装置２の記憶部７は、制御部６の制御にしたがって、イベント情報テーブルデータを記憶する。
【００１９】
イベント情報テーブルデータは、各イベント情報に対して、新着フラグ、広告フラグ、人気フラグの３つのフラグを有している。新着フラグは、イベント情報が新しいものであるか否かを示すフラグであって、現在日時が登録日時から２４時間以内であれば“１”となり、現在日時が登録日時から２４時間を過ぎれば“０”となる。広告フラグは、イベント情報登録者がユーザに対して訴求したい広告に該当するか否かを示すフラグであって、イベント情報登録者がユーザに対して訴求したい広告に該当する場合は“１”となり、イベント情報登録者がユーザに対して訴求したい広告に該当しない場合は“０”となる。人気フラグは、多数のユーザが興味を持っているイベント情報に該当するか否かを示すフラグであって、詳細は後述するが、多数のユーザが興味を持っているイベント情報に該当する場合は“１”となり、多数のユーザが興味を持っているイベント情報に該当しない場合は“０”となる。
【００２０】
ここで、２００７年６月３日１１：００時点でのイベント情報テーブルデータの一例を図２に示す。
【００２１】
次に、イベント情報が配信されるときのイベント情報配信システムの動作について説明する。
【００２２】
ユーザ端末３は、表示部を有しており、その表示部のデスクトップ画面にはイベント情報配信用デスクトップ・ガジェットが表示されている。ユーザ端末３は、ユーザ操作（例えば、イベント情報配信用デスクトップ・ガジェットをマウスクリックする操作）に応じてイベント情報配信用アプリケーションを起動し、イベント情報配信装置２にイベント情報配信要求信号を送信する。イベント情報配信装置２の制御部６は、ユーザ端末３から送信されたイベント情報配信要求信号を受信すると、図３に示すフローチャート動作を開始する。
【００２３】
なお、本実施例では、イベント情報配信装置２の制御部６は、図３に示すフローチャート動作において、人気フラグ、広告フラグともに“１”のイベント情報は、人気フラグ“１”のイベント情報として取り扱い、広告フラグ“１”のイベント情報として取り扱わないようにしている。
【００２４】
イベント情報配信装置２の制御部６は、ユーザ端末３から送信されたイベント情報配信要求信号を受信すると、まず、記憶部７が記憶しているイベント情報テーブルデータに新着フラグ“１”のイベント情報が有るかを確認する（ステップＳ１０）。新着フラグ“１”のイベント情報が無ければ（ステップＳ１０のＮＯ）、ステップＳ３０に移行する。一方、新着フラグ“１”のイベント情報が有れば（ステップＳ１０のＹＥＳ）、新着フラグ“１”のイベント情報に対して登録日時の新しいものから順に新着イベント情報用配列番号を付与し（ステップＳ２０）、その後ステップＳ３０に移行する。
【００２５】
例えば、新着フラグ“１”のイベント情報がＡ（Ａは自然数）個ある場合、登録日時の最も新しい新着フラグ“１”のイベント情報に新着イベント情報用配列番号「１」が付与され、登録日時の最も古い新着フラグ“１”のイベント情報に新着イベント情報用配列番号「Ａ」が付与される。記憶部７が記憶しているイベント情報テーブルデータが図２に示すイベント情報テーブルデータである場合、新着フラグ“１”のイベント情報は、タイトルが「『×××』ＤＶＤプレゼント」のイベント情報だけであり、このイベント情報に新着イベント情報用配列番号「１」が付与される。
【００２６】
ステップＳ３０において、イベント情報配信装置２の制御部６は、記憶部７が記憶しているイベント情報テーブルデータに人気フラグ“１”のイベント情報と広告フラグ“１”のイベント情報とが両方有るかを確認する。人気フラグ“１”のイベント情報と広告フラグ“１”のイベント情報との一方または両方が無ければ（ステップＳ３０のＮＯ）、ステップＳ５０に移行する。一方、人気フラグ“１”のイベント情報と広告フラグ“１”のイベント情報とが両方有れば（ステップＳ３０のＹＥＳ）、交互配列が可能な人気フラグ“１”のイベント情報、広告フラグ“１”のイベント情報に対して登録日時の新しいものから順に人気フラグ“１”のイベント情報、広告フラグ“１”のイベント情報が交互配列になるように全イベント情報用配列番号を付与し（ステップＳ４０）、その後ステップＳ５０に移行する。
【００２７】
例えば、人気フラグ“１”のイベント情報がＢ（Ｂは自然数）個有り、広告フラグ“１”のイベント情報がＣ（Ｃは自然数。Ｃ＞Ｂ）個有る場合、登録日時の最も新しい人気フラグ“１”のイベント情報に全イベント情報用配列番号「１」が付与され、登録日時の最も新しい広告フラグ“１”のイベント情報に全イベント情報用配列番号「２」が付与され、登録日時の最も古い人気フラグ“１”のイベント情報に全イベント情報用配列番号「２×Ｂ−１」が付与され、登録日時のＢ番目に新しい広告フラグ“１”のイベント情報に全イベント情報用配列番号「２×Ｂ」が付与され、登録日時の（Ｂ＋１）番目に新しい広告フラグ“１”のイベント情報〜登録日時の最も古い広告フラグ“１”のイベント情報にはステップＳ３０では全イベント情報用配列番号が付与されない。記憶部７が記憶しているイベント情報テーブルデータが図２に示すイベント情報テーブルデータである場合、人気フラグ“１”のイベント情報は、タイトル「『△△△』試写会ご招待」のイベント情報だけであり、広告フラグ“１”のイベント情報は、タイトル「６／６−６／１２夏の婦人靴・バック処分市」のイベント情報及びタイトル「夏のベビー＆キッズファッションバーゲン」のイベント情報の二つであり、タイトル「夏のベビー＆キッズファッションバーゲン」のイベント情報の方がタイトル「６／６−６／１２夏の婦人靴・バック処分市」のイベント情報よりも登録日時が新しいので、タイトル「『△△△』試写会ご招待」のイベント情報に全イベント情報用配列番号「１」が付与され、タイトル「夏のベビー＆キッズファッションバーゲン」のイベント情報に全イベント情報用配列番号「２」が付与される。
【００２８】
ステップＳ５０において、イベント情報配信装置２の制御部６は、記憶部７が記憶しているイベント情報テーブルデータ中の人気フラグ“１”のイベント情報または広告フラグ“１”のイベント情報に関して、全イベント情報用配列番号が付与されていないものがあれば、登録日時が新しいものから順に全イベント情報用配列番号を付与する。ステップＳ４０を経由していない場合には、ステップＳ５０において全イベント情報用配列番号を「１」から付与することになり、ステップＳ４０を経由している場合には、ステップＳ５０において、ステップＳ４０で付与した最も大きな全イベント情報用配列番号に続く全イベント情報用配列番号から付与することになる。
【００２９】
記憶部７が記憶しているイベント情報テーブルデータが図２に示すイベント情報テーブルデータである場合、広告フラグ“１”であるタイトル「６／６−６／１２夏の婦人靴・バック処分市」のイベント情報に全イベント情報用配列番号が付与されていないので、ステップＳ４０で付与した最も大きな全イベント情報用配列番号「２」に続く全イベント情報用配列番号「３」が広告フラグ“１”であるタイトル「６／６−６／１２夏の婦人靴・バック処分市」のイベント情報に付与される。
【００３０】
続くステップＳ６０において、イベント情報配信装置２の制御部６は、記憶部７が記憶しているイベント情報テーブルデータ中のイベント情報に関して、全イベント情報用配列番号が付与されていないものがあれば、登録日時が新しいものから順に全イベント情報用配列番号を付与する。ステップＳ６０では、ステップＳ５０までで付与した最も大きな全イベント情報用配列番号に続く全イベント情報用配列番号から付与することになる。
【００３１】
記憶部７が記憶しているイベント情報テーブルデータが図２に示すイベント情報テーブルデータである場合、広告フラグ、人気フラグともに“０”であるタイトル「『×××』ＤＶＤプレゼント」のイベント情報に全イベント情報用配列番号が付与されていないので、ステップＳ５０までで付与した最も大きな全イベント情報用配列番号「３」に続く全イベント情報用配列番号「４」が広告フラグ、人気フラグともに“０”であるタイトル「『×××』ＤＶＤプレゼント」のイベント情報に付与される。
【００３２】
続くステップＳ７０において、イベント情報配信装置２の制御部６は、新着イベント情報用配列番号及び全イベント情報用配列番号と、記憶部７が記憶しているイベント情報テーブルデータとに基づいて、イベント情報表示用データを作成し、イベント情報配信要求信号を送信したユーザ端末２にその作成したイベント情報表示用データを送信し、図３に示すフローチャート動作を終了する。このような動作により、イベント情報配信装置２からイベント情報配信要求信号を送信したユーザ端末２にイベント情報が配信され、イベント情報配信要求信号を送信したユーザ端末２の表示部に、イベント情報登録者がユーザに対して訴求したい広告に該当するイベント情報と多数のユーザが興味を持っているイベント情報とが交互に表示される。したがって、多数のユーザが興味を持っているイベント情報の表示によりユーザの興味を引くことができ、ユーザに継続的に利用されるイベント情報配信となるとともに、イベント情報登録者（広告主）がユーザに対して訴求したい広告に該当するイベント情報が、多数のユーザが興味を持っているイベント情報と交互に表示されて自然とユーザの目にとまるため、広告主がユーザに対して訴求したい広告を高い広告効果が得られるように配信するイベント情報配信となる。
【００３３】
記憶部７が記憶しているイベント情報テーブルデータが図２に示すイベント情報テーブルデータである場合、各イベント情報のタイトルと新着イベント情報用配列番号及び全イベント情報用配列番号との関係は図４のようになるので、イベント情報配信要求信号を送信したユーザ端末２の表示部に図５に示す表示をさせるためのイベント情報表示用データがイベント情報配信装置２の制御部６によって作成される。
【００３４】
ここで、人気フラグの詳細について説明する。ユーザ端末２にイベント情報配信が行われ、ユーザ端末２の表示部が例えば図５に示すような表示を行っている状態において、ユーザが特定の新着イベント情報横の「興味がある？」というソフトウェアキーを選択する操作（例えば、タイトル「『×××』ＤＶＤプレゼント」をマウスクリックする操作）を行うと、ユーザ端末２はその選択操作に応じて特定の新着イベント情報に興味がある旨の信号をイベント情報配信装置２に送信する。特定の新着イベント情報に興味がある旨の信号を受信したイベント情報配信装置２の制御部６は、特定の新着イベント情報に興味がある旨の信号を受信したことを記憶部７に一時的に記憶させ、その受信回数が規定数以上になれば、特定の新着イベント情報の人気フラグを“０”から“１”に変更する。例えば、記憶部７が記憶しているイベント情報テーブルデータが図２に示すイベント情報テーブルデータである場合、タイトル「『△△△』試写会ご招待」のイベント情報が新着イベント情報であった２００７年６月２日１８：２０より前に、タイトル「『△△△』試写会ご招待」の新着イベント情報に興味がある旨の信号が規定数以上受信されたことになる。
【００３５】
次に、２００７年６月３日１１：２０時点でタイトル「『×××』ＤＶＤプレゼント」の新着イベント情報に興味がある旨の信号がイベント情報配信装置２の制御部６によって規定数以上に受信されると、記憶部７が記憶しているイベント情報テーブルデータが更新された場合について説明する。この場合、更新後のイベント情報テーブルデータは図６のようになる。記憶部７が記憶しているイベント情報テーブルデータが図６に示すイベント情報テーブルデータである場合、各イベント情報のタイトルと新着イベント情報用配列番号及び全イベント情報用配列番号との関係は図７のようになるので、イベント情報配信要求信号を送信したユーザ端末２の表示部に図８に示す表示をさせるためのイベント情報表示用データがイベント情報配信装置２の制御部６によって作成され、イベント情報配信要求信号を送信したユーザ端末２にその作成されたイベント情報表示用データが送信される。
【００３６】
次に、２００７年６月３日１１：３０を過ぎて、記憶部７が記憶しているイベント情報テーブルデータが更新された場合について説明する。この場合、タイトル「『×××』ＤＶＤプレゼント」のイベント情報の新着フラグが“１”から“０”に変更されるので、更新後のイベント情報テーブルデータは図９のようになる。記憶部７が記憶しているイベント情報テーブルデータが図９に示すイベント情報テーブルデータである場合、各イベント情報のタイトルと新着イベント情報用配列番号及び全イベント情報用配列番号との関係は図１０のようになるので、イベント情報配信要求信号を送信したユーザ端末２の表示部に図１１に示す表示をさせるためのイベント情報表示用データがイベント情報配信装置２の制御部６によって作成され、イベント情報配信要求信号を送信したユーザ端末２にその作成されたイベント情報表示用データが送信される。
【００３７】
なお、上述した実施例では、人気フラグ“１”のイベント情報と広告フラグ“１”のイベント情報との交互配列において、人気フラグ“１”のイベント情報が奇数番目に広告フラグ“１”のイベント情報が偶数番目になるようにしたが、これとは逆に、人気フラグ“１”のイベント情報が偶数番目に広告フラグ“１”のイベント情報が奇数番目になるようにしても構わない。また、上述した実施例では、人気フラグ“１”のイベント情報と広告フラグ“１”のイベント情報とを１つ毎に交互配列したが、複数個毎（例えば２つ毎）に交互配列しても構わない。
【００３８】
また、ユーザ端末２にイベント情報配信が行われ、ユーザ端末２の表示部が例えば図５に示すような表示を行っている状態において、ユーザが特定のイベント情報を選択する操作（例えば、タイトル「『△△△』試写会ご招待」をマウスクリックする操作）を行うと、ユーザ端末２はその選択操作に応じて特定のイベント情報の詳細内容を要求する信号をイベント情報配信装置２に送信し、特定のイベント情報の詳細内容を要求する信号を受信したイベント情報配信装置２の制御部６が、記憶部７に記憶されているイベント情報テーブルデータから特定のイベント情報の詳細内容データを抽出し、その抽出した特定のイベント情報の詳細内容データを特定のイベント情報の詳細内容を要求しているユーザ端末２に送信し、特定のイベント情報の詳細内容データを受信したユーザ端末２の表示部が特定のイベント情報の詳細内容データに基づく表示を行うようにしてもよい。
【図面の簡単な説明】
【００３９】
【図１】は、本発明に係るイベント情報配信装置を含むイベント情報配信システムの概略構成例を示す図である。
【図２】は、イベント情報テーブルデータの一例を示す図である。
【図３】は、イベント情報配信時のイベント情報配信装置の動作フローチャートである。
【図４】は、イベント情報テーブルデータが図２である場合の、各イベント情報のタイトルと新着イベント情報用配列番号及び全イベント情報用配列番号との関係を示す図である。
【図５】は、イベント情報テーブルデータが図２である場合の、イベント情報配信要求信号を送信したユーザ端末の表示部の表示を示す図である。
【図６】は、イベント情報テーブルデータの他の例を示す図である。
【図７】は、イベント情報テーブルデータが図６である場合の、各イベント情報のタイトルと新着イベント情報用配列番号及び全イベント情報用配列番号との関係を示す図である。
【図８】は、イベント情報テーブルデータが図６である場合の、イベント情報配信要求信号を送信したユーザ端末の表示部の表示を示す図である。
【図９】は、イベント情報テーブルデータの更に他の例を示す図である。
【図１０】は、イベント情報テーブルデータが図９である場合の、各イベント情報のタイトルと新着イベント情報用配列番号及び全イベント情報用配列番号との関係を示す図である。
【図１１】は、イベント情報テーブルデータが図９である場合の、イベント情報配信要求信号を送信したユーザ端末の表示部の表示を示す図である。
【符号の説明】
【００４０】
１    イベント情報登録者端末
２    イベント情報配信装置
３    ユーザ端末
４    インターネット
５    ネットワークインタフェース
６    制御部
７    記憶部
【図１】
2009058854.tif 000003
【図２】
2009058854.tif 000004
【図３】
2009058854.tif 000005
【図４】
2009058854.tif 000006
【図５】
2009058854.tif 000007
【図６】
2009058854.tif 000008
【図７】
2009058854.tif 000009
【図８】
2009058854.tif 000010
【図９】
2009058854.tif 000011
【図１０】
2009058854.tif 000012
【図１１】
2009058854.tif 000013